(57)【要約】【解決手段】  打設されたコンクリート１の表面に沿って、連続気泡を有する棒状スポンジ５を載置し、当該棒状スポンジ５上に下面に小孔１０を穿設した補水タンク８を載置し、給水タンク１３から温度調節された水１１を前記補水タンク８に循環させ、補水タンク８から前記小孔１０を通して棒状スポンジ５に水１１を供給し、当該水１１を棒状スポンジ５から前記コンクリート１の表面に供給する。【効果】  給水タンク１３から給水された水１１が補水タンク８を循環し、当該補水タンク８から棒状スポンジ５を介して定常的にコンクリート１に水１１が供給され、さらに循環する水１１の温度を制御することにより夏季や冬季においてもコンクリート１の温度をコントロールすることができ、打設されたコンクリート１を湿潤養生して、その設計強度を確実に発現させることができる。【選択図】          図２
2006183264.tif 000002
【特許請求の範囲】
【請求項１】
打設されたコンクリート（１）の表面に沿って載置された、連続気泡を有する棒状スポンジ（５）と、当該棒状スポンジ（５）上に設置された、下面に小孔（１０）を穿設した補水タンク（８）と、水位調節機能を有する水補給手段（１４）を設けた給水タンク（１３）と、当該給水タンク（１３）と前記補水タンク（８）との間で水（１１）を循環させる循環装置（１５）とを有することを特徴とする、コンクリート湿潤養生装置
【請求項２】
互いに段差を有する複数のコンクリート（１）の表面に、それぞれ棒状スポンジ（５ａ，５ｂ）を載置し、当該棒状スポンジ（５ａ，５ｂ）の間に吸水性シート（６）を掛け渡し、最上段のコンクリート（１）上の吸水性シート（６）の上部に、前記補水タンク（８）を設置したことを特徴とする、請求項１に記載のコンクリート湿潤養生装置
【請求項３】
ほゞ同一平面をなす複数のコンクリート（１）上においてそれぞれ設けられた補水タンク（８）を、互いに接続管（１２）で接続し、前記給水タンク（１３）からこれらの複数の補水タンク（８）を通じて循環経路を形成したことを特徴とする、請求項１又は２に記載のコンクリート湿潤養生装置
【請求項４】
前記補水タンク（８）の小孔（１０）に調節バルブ（１９）を設けたことを特徴とする、請求項１、２又は３に記載のコンクリート湿潤養生装置
【請求項５】
前記コンクリート（１）、スポンジ類（５，６，７）及び補水タンク（８）の外側を、断熱材（１７）で覆ったことを特徴とする、請求項１、２、３又は４に記載のコンクリート湿潤養生装置
【請求項６】
前記給水タンク（１３）に、その中の水（１１）の温度を制御する温度調節手段を設けたことを特徴とする、請求項１、２、３、４又は５に記載のコンクリート湿潤養生装置
【請求項７】
前記給水タンク（１３）を、前記補水タンク（８）よりも高い位置に設けたことを特徴とする、請求項１、２、３、４、５又は６に記載のコンクリート湿潤養生装置
【請求項８】
打設されたコンクリート（１）の表面に沿って、連続気泡を有する棒状スポンジ（５）を載置し、当該棒状スポンジ（５）上に下面に小孔（１０）を穿設した補水タンク（８）を設置し、給水タンク（１３）から温度調節された水（１１）を前記補水タンク（８）に循環させ、補水タンク（８）から前記小孔（１０）を通して棒状スポンジ（５）に水（１１）を供給し、当該水（１１）を棒状スポンジ（５）から前記コンクリート（１）の表面に供給することを特徴とする、コンクリート湿潤養生方法
【請求項９】
互いに段差を有する複数のコンクリート（１）の表面に、それぞれ棒状スポンジ（５ａ，５ｂ）を載置し、当該棒状スポンジ（５ａ，５ｂ）の間に吸水性シート（６）を掛け渡し、最上段のコンクリート（１）上の吸水性シート（６）の上部に前記補水タンク（８）を設置し、当該補水タンク（８）から供給された水（１１）を前記吸水性シート（６）を介して、より下段のコンクリート（１）の表面に供給することを特徴とする、請求項８に記載のコンクリート湿潤養生方法
【請求項１０】
ほゞ同一平面をなす複数のコンクリート（１）上においてそれぞれ設けられた補水タンク（８）を、互いに接続管（１２）で接続し、前記給水タンク（１３）からこれらの複数の補水タンク（８）を通じて循環経路を形成し、当該循環経路を通して供給された水（１１）を各補水タンク（８）からその下部の棒状スポンジ（５）を通してコンクリート（１）の表面に供給することを特徴とする、請求項８又は９に記載のコンクリート湿潤養生方法
【発明の詳細な説明】
【技術分野】
【０００１】
本発明は建物の基礎などの打設したコンクリート構造物に対し、継続的に湿潤養生を施し、ひび割れを防止すると共にコンクリートの設計強度を確実に発現させるための装置及び方法に関するものである。
【背景技術】
【０００２】
コンクリート構造物を製造する際には、型枠に生コンクリートを流し込んで打設した後、セメントの水和反応により硬化していく過程において水を必要とし、打設した後もある程度の期間（通常は７日程度）に亙って水を補給する必要がある。
【０００３】
このような水の補給手段としては、打設したコンクリートの表面に散水したり、塗れむしろを被せたり、水を含ませたスポンジなどを置いたり、さらには水の蒸散を防止するためにシートなどで覆ったりすることが行われていたが、いずれも人手による作業であって、相当期間に亙って継続的に行うのは困難であった。
【０００４】
また夏季は直射日光を遮って頻繁に散水して温度を下げる必要があり、また冬季においては温度が過度に低下しないように保温する必要もあり、水分の供給とは別に夏季や冬季においては温度管理も必要である。
【０００５】
また打設したコンクリートの表面に自動的に水を供給して湿潤養生するための方法として、特開２００２−７０３０９号公報に示された発明がある。この方法は、打設したコンクリートの表面に沿って散水管を配管し、この散水管に時間を制御しつつ給水することにより湿潤養生するものである。
【０００６】
しかしながらこの方法は、単にコンクリート表面への散水を自動的にまた定期的に行うものであって、夏季の昼間などにおいては散水の間に水分が蒸発してしまうことがあり、また冬季の夜間などにおいては凍結の恐れがある。
【特許文献１】特開２００２−７０３０９号公報
【発明の開示】
【発明が解決しようとする課題】
【０００７】
本発明はかかる事情に鑑みなされたものであって、打設されたコンクリートに対し常時継続的に水を補って湿潤状態に保つと共に、供給する水の温度を制御し、適温の水を循環させつつ補水することを目的とするものである。
【課題を解決するための手段】
【０００８】
而して本発明のコンクリート湿潤養生装置は、打設されたコンクリートの表面に沿って載置された、連続気泡を有する棒状スポンジと、当該棒状スポンジ上に設置された、下面に小孔を穿設した補水タンクと、水位調節機能を有する水補給手段を設けた給水タンクと、当該給水タンクと前記補水タンクとの間で水を循環させる循環装置とを有することを特徴とするものである。
【０００９】
本発明のコンクリート湿潤養生装置においては、互いに段差を有する複数のコンクリートの表面に、それぞれ棒状スポンジを載置し、当該棒状スポンジの間に吸水性シートを掛け渡し、最上段のコンクリート上の吸水性シートの上部に、前記補水タンクを設置することが好ましい。
【００１０】
また本発明の装置においては、ほゞ同一平面をなす複数のコンクリート上においてそれぞれ設けられた補水タンクを、互いに接続管で接続し、前記給水タンクからこれらの複数の補水タンクを通じて循環経路を形成することが好ましい。
【００１１】
また本発明の装置においては、前記補水タンクの小孔に、調節バルブを設けることが好ましい。さらに本発明の装置においては、前記コンクリート、スポンジ類及び補水タンクの外側を、断熱材で覆うことが好ましい。さらに前記給水タンクに、その中の水の温度を制御する温度調節手段を設けたことが望ましい。また前記給水タンクは、前記補水タンクよりも高い位置に設けることが好ましい。
【００１２】
次に本発明のコンクリート湿潤養生方法は、打設されたコンクリートの表面に沿って、連続気泡を有する棒状スポンジを載置し、当該棒状スポンジ上に下面に小孔を穿設した補水タンクを設置し、給水タンクから温度調節された水を前記補水タンクに循環させ、補水タンクから前記小孔を通して棒状スポンジに水を供給し、当該水を棒状スポンジから前記コンクリートの表面に供給することを特徴とするものである。
【００１３】
本発明の方法においては、互いに段差を有する複数のコンクリートの表面に、それぞれ棒状スポンジを載置し、当該棒状スポンジの間に吸水性シートを掛け渡し、最上段のコンクリート上の吸水性シートの上部に前記補水タンクを設置し、当該補水タンクから供給された水を前記吸水性シートを介して、より下段のコンクリートの表面に供給することが好ましい。
【００１４】
また本発明のコンクリート湿潤養生方法においては、ほゞ同一平面をなす複数のコンクリート上においてそれぞれ設けられた補水タンクを、互いに接続管で接続し、前記給水タンクからこれらの複数の補水タンクを通じて循環経路を形成し、当該循環経路を通して供給された水を各補水タンクからその下部の棒状スポンジを通してコンクリートの表面に供給することが好ましい。
【発明の効果】
【００１５】
本発明によれば、給水タンクから給水された水が補水タンクを循環し、当該補水タンクから棒状スポンジを介して定常的にコンクリートに水が供給され、さらに循環する水の温度を制御することにより夏季や冬季においてもコンクリートの温度をコントロールすることができ、打設されたコンクリートを湿潤養生して、その設計強度を確実に発現させることができる。
【発明を実施するための最良の形態】
【００１６】
以下本発明の実施の形態を図面に従って説明する。図１は建物の基礎として打設されたコンクリートに対し、本発明を適用する状態を示すものであって、図２はその一部を拡大して示した横断面図である。
【００１７】
図面において１は建物の基礎として打設されたコンクリートであって、型枠２内に生コンクリートを注入して打設されており、土台部３とその中央に突出した起立部４とよりなり、全体として断面略凸字状に形成されている。なお図１においては、型枠２は省略して示している。
【００１８】
図１はこのコンクリート１の基礎Ａを示すものであって、外周を略長方形に取り囲んで形成された外周部Ａａと、当該外周部Ａａの中央部を横切って形成された横断部Ａｂと、外周部Ａａと横断部Ａｂとを繋ぐ接続部Ａｃとよりなっており、この基礎Ａの上部に建築物が建設される。
【００１９】
そしてコンクリート１における起立部４及び土台部３の上面には、基礎Ａの経路に沿って棒状スポンジ５ａ，５ｂが載置されている。当該棒状スポンジ５ａ，５ｂは連続気泡を有するポリウレタンなどの合成樹脂の発泡体であって、吸水性を有している。
【００２０】
そして起立部４の上端に載置された棒状スポンジ５ａの上に吸水性シート６が掛けられ、当該吸水性シート６の両側部は起立部４の両側に垂れ下がって、土台部３上の棒状スポンジ５ｂの上にも掛け渡されている。この吸水性シート６としては、シート状のスポンジやタオル地などが適当である。
【００２１】
また起立部４上の吸水性シート６の上には、棒状スポンジ７が載置されており、この棒状スポンジ７も、前記棒状スポンジ５ａ，５ｂと同様の連続気泡を有するポリウレタンなどの合成樹脂の発泡体よりなっており、吸水性を有している。
【００２２】
この棒状スポンジ７上には、補水タンク８が載置されている。当該補水タンク８は金属又はプラスチック製の容器であって、その本体９の下面には小孔１０が穿設されており、中の水１１が少量ずつ漏出するようになっている。なお棒状スポンジ７を設けることなく、吸水性シート６上に直接補水タンク８を設置してもよい。
【００２３】
そして基礎Ａの各部Ａａ，Ａｂ，Ａｃの起立部４上にはそれぞれ棒状スポンジ５ａ、吸水性シート６及び棒状スポンジ７が載置され、その上に補水タンク８が設けられていて、これらの補水タンク８は接続管１２で接続されている。
【００２４】
１３は給水タンクであって、水補給手段としての補給管１４により外部の水源（例えば水道栓など）から水１１が供給され、水位調節手段（図示せず）により給水タンク１３内の水１１の量が一定に保持され、且つ必要に応じて温度調節手段（図示せず）により、給水タンク１３内の水１１の温度が制御されている。
【００２５】
給水タンク１３は一部の前記補水タンク８に循環装置１５を介して給水管１６で接続されており、給水タンク１３からすべての補水タンク８を通じて水１１を循環する循環経路が形成されている。
【００２６】
１７は、これらのコンクリート１、スポンジ類５，６，７及び補水タンク８を覆う断熱材であって、特に夏季や冬季においてコンクリート１及びそれに供給される水１１の温度が過度に変動するのを防止する。
【００２７】
図３は本発明の装置の他の例を示すものであって、補水タンク８は断熱材１７の上部から吊り下げ紐１８で吊り下げられており、その補水タンク８の小孔１０には調節バルブ１９が取り付けられ、補水タンク８から棒状スポンジ７に供給する水の量を調節バルブ１９で調節することができるようになっている。
【００２８】
而して本発明においては、補給管１４から給水タンク１３に一定量の水１１を補給し、温度調節手段によりその水１１の温度を調節し、その水１１を循環装置１５により補水タンク８に供給して循環させる。
【００２９】
補水タンク８内の水１１は小孔１０から下方に漏出して棒状スポンジ７に浸透し、さらにシート状スポンジ６に浸透する。シート状スポンジ６に浸透した水１１はその一部はさらに起立部４上の棒状スポンジ５ａに浸透し、また他の一部は起立部４の両側に垂れ下がった部分を通して土台部３上の棒状スポンジ５ｂに浸透し、その棒状スポンジ５ａ，５ｂからそれに接したコンクリート１に水１１が供給され、コンクリート１は湿潤状態に保持される。
【００３０】
また夏季や冬季においては、補水タンク８に供給される水１１は給水タンク１３内において温度調節されており、またその周囲を断熱材１７で覆うことにより、断熱材１７内は温度調節された水１１の温度にほゞ保たれ、コンクリート１を常に最適の状態で湿潤養生することができる。
【００３１】
なお以上の説明においては、コンクリート１として断面が略凸字状であって、段差のあるコンクリート１面を養生するものとして説明したが、単一の平面上のコンクリート１面を養生する場合であれば、シート状スポンジ６及び棒状スポンジ７は必要ではなく、棒状スポンジ５上に直接補水タンク８を載置することもできる。
【００３２】
またコンクリート１の形状として三段以上の高さの異る多数の段を有する場合には、これらの各段のコンクリート１上に棒状スポンジ５を載置し、これらの棒状スポンジ５にシート状スポンジ６を掛け渡し、その最上段のコンクリート１上のみに補水タンク８を設けることにより、より低い段のコンクリート１にもシート状スポンジ６を介して水１１を供給することができる。
【００３３】
また給水タンク１３を補水タンク８よりも高い位置に設置することにより、停電などの原因により循環装置１５の機能が停止した場合においても、自然流下により少なくとも補水タンク８への水の供給が停止することはなく、コンクリート１に水を供給すると言う最低限の機能を確保することができる。
【産業上の利用可能性】
【００３４】
以上の説明においては、建物の基礎Ａとしてのコンクリート１を養生する場合についてのべたが、本発明はこの用途に限られるものではなく、各種のコンクリート製品を製造する場合においても広く適用することができる。
【図面の簡単な説明】
【００３５】
【図１】建物の基礎に本発明を適用する状態を示す斜視図
【図２】図１における一部を拡大して示した横断面図
【図３】本発明の装置の他の例を示す一部横断面図
【符号の説明】
【００３６】
１  コンクリート
５  棒状スポンジ
６  シート状スポンジ
７  棒状スポンジ
８  補水タンク
１０  小孔
１１  水
１２  接続管
１３  給水タンク
１４  補給管（水補給手段）
１５  循環装置
１７  断熱材
１９  調節バルブ
【図１】
2006183264.tif 000003
【図２】
2006183264.tif 000004
【図３】
2006183264.tif 000005